(57)【特許請求の範囲】
【請求項１】
撮影時の絞りがカメラによるオート制御とマニュアル制御との間でオート・マニュアル切り替え可能な撮影レンズをレンズマウント装着部に装着しかつオートモードにセットしたときに、オン又はオフのいずれか一方を一方のスイッチ状態と定義しかついずれか他方を他方のスイッチ状態と定義して一方のスイッチ状態とされる開放・絞り込み測光切り替え用のオート・マニュアル切り替えスイッチが設けられたカメラボディと、
前記オート・マニュアル切り替えスイッチが一方のスイッチ状態であるか他方のスイッチ状態であるかを判断するオート・マニュアル切り替えスイッチ状態判断手段と、
前記レンズマウント装着部に設けられかつ前記撮影レンズの絞り連係桿に連係して回動される絞り連動桿のボリュームが規定値以上であるか否かを判断するボリューム情報判断手段と、
前記ボリューム情報判断手段と前記オート・マニュアル切り替えスイッチ状態判断手段との判断結果に基づいて、オート・マニュアルが切り替え可能な撮影レンズとオート・マニュアルが切り替え不可能なマニュアル固定式の撮影レンズとを判別する撮影レンズ種類判断手段とを備えていることを特徴とするオート・マニュアル切り替え可能なカメラ。
【請求項２】
前記撮影レンズ種類判断手段は、前記オート・マニュアル切り替えスイッチ状態判断手段の判断結果が他方のスイッチ状態であってかつ前記ボリューム情報判断手段の判断結果が規定値以上のときに、マニュアル固定式の撮影レンズが前記カメラボディに装着されたと判断することを特徴とする請求項１に記載のオート・マニュアル切り替え可能なカメラ。
【請求項３】
前記撮影レンズ種類判断手段は、前記オート・マニュアル切り替えスイッチ状態判断手段の判断結果が一方のスイッチ状態であってかつ前記ボリューム情報判断手段の判断結果が規定値以上のときに、撮影レンズが前記カメラボディに装着されていないと判断することを特徴とする請求項２に記載のオート・マニュアル切り替え可能なカメラ。
【請求項４】
前記撮影レンズ種類判断手段は、前記オート・マニュアル切り替えスイッチ状態判断手段の判断結果が一方のスイッチ状態であってかつ前記ボリューム情報判断手段の判断結果が規定値未満のときに、オート・マニュアルが切り替え可能な撮影レンズが前記カメラボディに装着されかつオートモードにセットされていると判断することを特徴とする請求項３に記載のオート・マニュアル切り替え可能なカメラ。
【請求項５】
前記撮影レンズ種類判断手段は、前記オート・マニュアル切り替えスイッチ状態判断手段の判断結果が他方のスイッチ状態であってかつ前記ボリューム情報判断手段の判断結果が規定値未満のときに、オート・マニュアルが切り替え可能な撮影レンズが前記カメラボディに装着されかつマニュアルモードであると判断することを特徴とする請求項４に記載のオート・マニュアル切り替え可能なカメラ。
【請求項６】
前記撮影レンズ種類判断手段が前記オート・マニュアルが切り替え可能な撮影レンズが前記カメラボディに装着されてマニュアルモードであると判断したときにマニュアルモードであるとの警告表示を行い、前記撮影レンズ種類判断手段がマニュアル固定式の撮影レンズが前記カメラボディに装着されていると判断したときにマニュアルであるとの警告表示を行わないことを特徴とする請求項５に記載のオート・マニュアルが切り替え可能なカメラ。
【発明の詳細な説明】
【０００１】
【発明の属する技術分野】
本発明は、オート・マニュアルが切り替え可能な撮影レンズとマニュアル固定式の撮影レンズとを装着可能で、オート・マニュアル切り替え可能な一眼レフレックスカメラの改良に関する。
【０００２】
【従来の技術】
従来から、一眼レフレックスカメラにはレンズ交換が可能なものが知られている。この一眼レフレックスカメラの測光方式には、撮影レンズの絞りが所望の絞り値に絞り込まれた状態で撮影レンズを通過してくる光束を測光する絞り込み測光方式と、絞りを開放した状態で測光する開放測光方式とがある。
【０００３】
近年、カメラ及び撮影レンズの電子制御化が進み、また、一般に開放測光方式のものが測光精度の向上を図ることができるという理由から、ほとんどのカメラが自動撮影が可能な開放測光方式を採用し、旧来から存在する絞り込み測光方式との互換性を考慮して、カメラに装着された際の絞りの状態を開放測光方式用のオートモード又は絞り込み測光方式用のマニュアルモードのいずれか一方に選択可能な構成として、互換性を有する撮影レンズ（オート・マニュアルが切り替え可能な撮影レンズ又は新タイプの撮影レンズ）が製品化されている。一方、カメラ本体側においても、旧来の絞り込み測光方式のマニュアル固定式の撮影レンズ（旧タイプのマニュアル固定レンズという）もマニュアル撮影モードで使用できるように設計されている。
【０００４】
その新タイプの撮影レンズは開放測光方式用のカメラに装着される。そして、この撮影レンズはこれを操作して一時的に絞り込み測光方式用のマニュアルモードに切り替えて被写界深度を確認し、その後、開放測光を行うオートモードに戻して、オート撮影を行うという用いられ方をする。
【０００５】
【発明が解決しようとする課題】
しかしながら、使用者がこの新タイプの撮影レンズをオートモードに戻すのを忘れて、カメラ側で設定しているオートモードで撮影した場合、誤った測光を行って不適切な露光条件のもとで撮影が行われることがあり、ひいては、意図しない写真が得られることになる。
【０００６】
本発明は、上記の事情に鑑みて為されたもので、その目的は、装着される撮影レンズの種類や撮影モードを判別し、装着される撮影レンズの種類に対応して適切な制御を行うことができるオート・マニュアル切り替え可能なカメラを提供することにある。
【０００７】
【課題を解決するための手段】
本発明の請求項１に記載のオート・マニュアル切り替え可能なカメラは、撮影時の絞りがカメラによるオート制御とマニュアル制御との間でオート・マニュアルが切り替え可能な撮影レンズをレンズマウント装着部に装着しかつオートモードの位置にセットしたときに、オン又はオフのいずれか一方を一方のスイッチ状態と定義しかついずれか他方を他方のスイッチ状態と定義して一方のスイッチ状態とされる開放・絞り込み測光切り替え用のオート・マニュアル切り替えスイッチが設けられたカメラボディと、前記オート・マニュアル切り替えスイッチが一方のスイッチ状態であるか他方のスイッチ状態であるかを判断するオート・マニュアル切り替えスイッチ状態判断手段と、前記レンズマウント装着部に設けられかつ前記撮影レンズの絞り連係桿に連係して回動される絞り連動桿のボリュームが規定値以上であるか否かを判断するボリューム情報判断手段と、前記ボリューム情報判断手段と前記オート・マニュアル切り替えスイッチ状態判断手段との判断結果に基づいて、オート・マニュアルが切り替え可能な撮影レンズとオート・マニュアルが切り替え不可能なマニュアル固定式の撮影レンズとを判別する撮影レンズ種類判断手段とを備えている。
【０００８】
本発明によれば、マニュアル固定式の撮影レンズがカメラボディに装着されているのかオート・マニュアル切り替え可能な撮影レンズがカメラボディに装着されているのかを判断できる。
【００１１】
本発明の請求項２に記載のオート・マニュアル切り替え可能なカメラは、前記撮影レンズ種類判断手段が、前記オート・マニュアル切り替えスイッチ状態判断手段の判断結果が他方のスイッチ状態であってかつ前記ボリューム情報判断手段の判断結果が規定値以上のときに、マニュアル固定式の撮影レンズが前記カメラボディに装着されたと判断することを特徴とする。
【００１２】
本発明の請求項３に記載のオート・マニュアル切り替え可能なカメラは、前記撮影レンズ種類判断手段が、前記オート・マニュアル切り替えスイッチ状態判断手段の判断結果が一方のスイッチ状態であってかつ前記ボリューム情報判断手段の判断結果が規定値以上のときに、撮影レンズが前記カメラボディに装着されていないと判断することを特徴とする
【００１３】
本発明によれば、カメラボディに撮影レンズが装着されているかいないかを判断できる。
【００１４】
本発明の請求項４に記載のオート・マニュアル切り替え可能なカメラは、前記撮影レンズ種類判断手段が、前記オート・マニュアル切り替えスイッチ状態判断手段の判断結果が一方のスイッチ状態であってかつ前記ボリューム情報判断手段の判断結果が規定値未満のときに、オート・マニュアルが切り替え可能な撮影レンズが前記カメラボディに装着されかつオートモードにセットされていると判断することを特徴とする。
【００１５】
本発明によれば、オート・マニュアルが切り替え可能な撮影レンズがカメラボディに装着されて開放測光による制御を行うことができる。
【００１６】
本発明の請求項５に記載のオート・マニュアルが切り替え可能なカメラは、前記撮影レンズ種類判断手段が、前記オート・マニュアル切り替えスイッチ状態判断手段の判断結果が他方のスイッチ状態であってかつ前記ボリューム情報判断手段の判断結果が規定値未満のときに、オート・マニュアルが切り替え可能な撮影レンズが前記カメラボディに装着されかつマニュアルモードであると判断することを特徴とする。
【００１７】
本発明によれば、オート・マニュアルが切り替え可能な撮影レンズがカメラボディに装着されて絞り込み測光による制御を行うことができる。
【００１８】
本発明の請求項６に記載のオート・マニュアルが切り替え可能なカメラは、前記撮影レンズ種類判断手段が、前記オート・マニュアルが切り替え可能な撮影レンズが前記カメラボディに装着されてマニュアルモードであると判断したときにマニュアルモードであるとの警告表示を行い、前記撮影レンズ種類判断手段がマニュアル固定式の撮影レンズが前記カメラボディに装着されていると判断したときにマニュアルであるとの警告表示を行わないことを特徴とする。
【００１９】
本発明によれば、オート・マニュアルが切り替え可能な撮影レンズがカメラボディに装着されているときには、マニュアルモードのときに絞り込み測光であるとの警告表示が行われ、マニュアル固定式の撮影レンズがカメラボディに装着されているときには、もともと絞り込み測光しかできないものであるから、絞り込み測光との警告表示は行われず、撮影レンズの種類に応じた適切な警告表示がなされる。
【００２０】
【発明の実施の形態】
図１は本発明に係わる一眼レフレックスカメラの概略斜視図を示し、図２は一眼レフレックスカメラのカメラボデイ１の平面図を示し、図３はカメラボディ１の正面図を示す。
【００２１】
図１〜図３において、カメラボディ１には、メイン電源スイッチ２、シャッターボタン４が設けられている。また、カメラボディ１には、フィルム巻上レバー５、液晶タイプの表示部６が設けられている。７はカメラボディ１の環状のレンズマウント装着部、８はレンズマウント装着部７に設けられたオート・マニュアル切り替えスイッチ、９はレンズマウント装着部７内に設けられた絞り連動桿である。この絞り連動桿９はレンズマウント装着部７に沿う周方向に回動可能に設けられている。カメラボディ１内には、絞り連動桿９に連動して、その電気抵抗が変化するボリューム可変抵抗（図示を略す）が設けられている。
【００２２】
レンズマウント装着部７には、撮影レンズ１０が図１に示すように装着される。この撮影レンズ１０は、図４、図５に示すようにレンズ群が内蔵されたレンズ鏡筒１１と、レンズ鏡筒１１の基端に一体に設けられたレンズマウント１２と、レンズ鏡筒１１の基端部外周に回動可能に装着された絞り環１３（図６参照）を有する。
【００２３】
絞り環１３の周面には、図６に示すように、ＦＮＯ．値として、例えば、「３２、２２、１６、１１、８、５．６、４」等の数値が付されている。この絞り環１３を周方向に回動操作して、ＦＮＯ．値である「３２、２２、１６、１１、８、５．６、４」等の数値のいずれかを位置決めマーク１４に合わせることにより、撮影レンズ１０の絞り値が設定されるようになっている。
【００２４】
撮影レンズ１０は絞り環１３により操作される絞り羽根を有し、この絞り羽根は撮影レンズマウント１２の内部に設けられたバネ手段（図示を略す）により開放絞りの方向に常時付勢されている。
【００２５】
この撮影レンズ１０には、図６、図７に示すように、オート・マニュアル切り換え用のＡ／Ｍスイッチ１５と絞り連係桿１６、絞り連動レバー１６Ａとが撮影レンズマウント１１に設けられた新タイプ（第１タイプ）と、Ａ／Ｍスイッチ１５、絞り連係桿１６、絞り連動レバー１６Ａが撮影レンズマウント１１に設けられていない旧タイプ（第２タイプ）（図５、図８参照）がある。
【００２６】
新タイプの撮影レンズ１０では、Ａ／Ｍスイッチ１５をオートに設定すると、オート・マニュアル切り換えスイッチ８が進入する進入箇所１２Ａが凹となってオート・マニュアル切り換えスイッチ８がレンズマウント装着部７から突出した状態になるので、オート・マニュアル切り換えスイッチ８はオフ（一方のスイッチ状態）となる。また、Ａ／Ｍスイッチ１５をマニュアルに設定すると、オート・マニュアル切り換えスイッチ８が対向する進入箇所１２Ａがフラットとなるので、オート・マニュアル切り換えスイッチ８がレンズマウント装着部７に没して、オート・マニュアル切り換えスイッチ８はオン（他方のスイッチ状態）となる。
【００２７】
撮影レンズマウント１１には、絞り羽根に連動する連動レバー１６Ａが設けられ、Ａ／Ｍスイッチ１５がオートの場合、レリーズ時に絞り連動レバー１６Ａが回動されて、絞り羽根が絞り環１３で設定した値にまで絞られ、Ａ／Ｍスイッチ１５がマニュアルの場合、絞り羽根はカメラ本体１への装着の有無に拘わらず絞り環１３で絞られた値となり、絞り連動レバー１６Ａは、すでに、レリーズ時に回動される位置に対応する位置に位置している。
【００２８】
また、Ａ／Ｍスイッチ１５がオートで撮影レンズマウント１２をレンズマウント装着部７に取り付け、撮影レンズマウント１２をレンズマウント装着部７に対して回動させて、撮影レンズマウント１２をレンズマウント装着部７に固定装着すると、絞り連係桿１６により絞り連動桿９が回動されて、絞り情報の値が規定値未満となる。このとき、オート・マニュアル切り替えスイッチ８はオフのままである。
【００２９】
そのボリュームの抵抗値ＡＶＶＲの変化を検出することにより、撮影レンズ１０の絞り値が検出される。カメラボディ１は、この抵抗値ＡＶＶＲの変化により図示を略す演算制御回路により各種の制御を行う。
【００３０】
一方、図５、図８に示すように、Ａ／Ｍスイッチ１５、絞り連係桿１６、絞り連動レバー１６Ａがない旧タイプのマニュアル固定式の撮影レンズ１０をカメラボディ１に装着して絞り環１３を操作したとしても、撮影レンズ１０の絞り値はカメラボディ１の演算制御回路に伝達されない。また、この旧タイプの撮影レンズ１０では、撮影レンズマウント１２に進入箇所１２Ａが設けられていないため、撮影レンズ１０をカメラボディ１に取り付けると同時に、オート・マニュアル切り替えスイッチ８はオフからオンする。
【００３１】
カメラボディ１内には、図９に示すＣＰＵ１７が設けられている。ＣＰＵ１７には電源回路１８により電源が供給され、発振子１９のクロック信号、絞り連動環９を介して撮影レンズ１０からの絞り情報（ＡＶボリューム情報）、パルス発生手段２０からのパルスが入力されると共に、ＥＥＰＲＯＭ２１から撮影に関係する全データが入力される。
【００３２】
そのＣＰＵ１７にはメインスイッチＳＷ２、裏蓋開閉検出スイッチＳＷ、予備角スイッチＳＷ１、巻き上げ完了スイッチＳＷ３、シャッターボタン４の操作によってオンする測光スイッチＳＷ５、レリーズスイッチＳＷ６、その他のスイッチＳＷ７のスイッチ情報が入力される。
【００３３】
予備角スイッチＳＷ１、巻き上げ完了スイッチＳＷ３は巻き上げレバー５の回動に関連してオンオフされるスイッチであるが、本発明には直接関連しないので、その詳細な説明は省略する。
【００３４】
ＣＰＵ１７は輝度情報Ｂｖの読み込み毎にこれを記憶する。ＣＰＵ１７は後述する制御フローに従ってカメラの動作制御を実行し、カメラの動作状態に応じてファインダー内照明用ＬＥＤ２２の点灯信号、ファインダー内ＬＣＤ２３への表示情報、外部ＬＣＤ６への表示情報、レリーズマグネットＭｇ１、フィルム係止マグネットＭｇ２、シャッター先幕走行用マグネットＥＳＭｇ１、シャッター後幕走行用マグネットＥＳＭｇ２への制御情報を出力する他、６分割測光ＩＣ２４を駆動制御して測光情報を読み取るようになっている。
【００３５】
次に、制御フローを参照しつつ、本発明に係わるオート・マニュアル切り替え可能なカメラの作動を説明する。
【００３６】
メインスイッチＳＷ２をオンすると、図１０に示すように、ＣＰＵ１７は、メインフロー処理に入り、まずレジスタの初期化を実行し（Ｓ．１）、ＥＥＰＲＯＭ２１から全データの読み込みを行い（Ｓ．２）、メインフローの実行時間としてのインターバル時間を１２５ｍｓにセットし（Ｓ．３）、各種スイッチの状態信号を取り込んで（Ｓ．４）、各スイッチの状態に基づいてそのスイッチ状態に対応する操作処理を行う（Ｓ．５）。
【００３７】
次に、ＣＰＵ１７は測光スイッチＳＷ５がオンされたか否かを判断し（Ｓ．６）、測光スイッチＳＷ５がオフ（ノー）の場合、フィルム給送移行チェック処理を行う（Ｓ．７）。フィルム給送は、巻き上げレバー５を一巻き毎巻き上げることにより行われる。
【００３８】
巻き上げレバー５を巻き上げると、パルス発生手段２０からパルスが発生される。このパルスはフィルム（パーフォレーションのないブローニー版のフィルム）の１駒の引き出し量を判断するのに用いられる。予備角スイッチＳＷ１は、巻き上げレバー５が元の位置にある場合（巻き上げレバー５の操作角度が０度から１０度までの範囲内の場合）にオンし、予備角スイッチＳＷ１のオンは、フィルム巻き上げ処理実行中でないことを意味し、予備角スイッチＳＷ１のオフは、フィルム給送処理の実行に用いられる。フィルム給送処理はパルスの発生個数をカウントすることにより行われる。フィルム給送移行チェック処理はそのフィルム給送処理に先立って行われるものであるが、本発明には直接関連しないのでその詳細は割愛する。
【００３９】
ＣＰＵ１７はフィルム給送移行チェック処理後、ボディ状態チェック処理（Ｓ．８）を行う。ボディ状態チェック処理は、裏蓋開閉検知スイッチＳＷのオン又はオフにより裏蓋１’が開いているか否かを判断するために行われるが、この処理も本発明には直接関連しないので、その詳細な説明は割愛する。
【００４０】
ＣＰＵ１７はボディ状態チェック処理後、Ｓ．９に移行して表示処理を実行する。表示処理では撮影レンズに関係して表示される情報が選択されるが、その詳細は後述する。
【００４１】
ＣＰＵ１７は、次に、スリープモード割り込み復帰条件設定処理を行う（Ｓ．１０）。ここでは、スリープモード割り込み復帰条件設定処理は、測光スイッチＳＷ５がオン、レリーズスイッチＳＷ６がオン、予備角スイッチＳＷ１がオフしたことを条件とする。ＣＰＵ１７はスリープモード割り込み復帰条件設定後、スリープモード（Ｓ．１１）に移行する。ここで、スリープモードとは電力消費節約モードを意味し、インターバル時間ごとにスリープモードから復帰し、測光スイッチＳＷ５、レリーズスイッチＳＷ６、巻き上げレバー５のチェックを行って、スリープモードに入るか否かを判断している。
【００４２】
このスリープモードに入っている状態で、測光スイッチＳＷ５、レリーズスイッチＳＷ６のいずれかがオン、又は予備角スイッチＳＷ１がオフ又はインターバル時間経過後に、ＣＰＵ１７はＳ．１２に移行してフィルム給送移行チェック処理を行う。
【００４３】
ＣＰＵ１７はメインフローのＳ．３〜Ｓ．１２の実行中にシャッターボタンが押されて、測光スイッチＳＷ５がオンされると、Ｓ．１３に移行してパワーホールドタイマーＰｈ−ｔｉｍｅｒを「１０秒」にセットする。このパワーホールドタイマーＰｈ−ｔｉｍｅｒは測光スイッチＳＷ５がオンした後オフしてから１０秒以上経過した場合には、再びスリープモードに入るためにセットされる。
【００４４】
ＣＰＵ１７はＳ．１３の処理を実行した後、スイッチ情報を取り込み（Ｓ．１４）、スイッチ操作処理を行って（Ｓ．１５）、輝度情報Ｂｖ、絞り情報ＡＶＶＲを読み込み（Ｓ．１６、Ｓ．１７）、図１１に示すＳ．１８のレンズ判別処理に移行する。
【００４５】
レンズ判別処理では、撮影レンズ１０が絞り連係桿１６を有する新タイプのレンズであるのか、撮影レンズ１０が絞り連係桿１６を有しない旧タイプのレンズであるのかを区別するレンズ種類フラグＦ１、Ｆ２、Ｆ３を「０」にクリアする（Ｓ．１８１）。
【００４６】
レンズ種類フラグＦ１は撮影レンズ１０がカメラボディ１に装着されているか、いないのかを判断するためのフラグで、「Ｆ１＝１」は撮影レンズ１０がカメラボディ１に装着されていないことを意味する。レンズ種類フラグＦ２はカメラボディに装着された撮影レンズが旧タイプであるか否かを判断するためのフラグで、「Ｆ２＝１」は旧タイプのレンズがカメラボディ１に装着されていることを意味する。レンズ種類フラグＦ３はカメラボディ１に装着された撮影レンズ１０が新タイプでかつＡ／Ｍスイッチ１５がマニュアルにセットされていることを判断するフラグで、「Ｆ３＝１」はＡ／Ｍスイッチ１５がマニュアルであることを意味する。
【００４７】
次に、ＣＰＵ１７はオート・マニュアル切り替えスイッチ８がオンであるのかオフであるのかを判断する（Ｓ．１８２）。Ｓ．１８２においてイエスのときは、Ｓ．１８３に移行して、絞り情報ＡＶＶＲが規定値以上であるか否かを判断する。
【００４８】
ＣＰＵ１７は、Ｓ．１８３において、絞り情報ＡＶＶＲが規定値以上のときには、旧タイプの撮影レンズ１０がカメラボディ１に装着されていると判断して、レンズ種類フラグＦ２を「１」にセットして（Ｓ．１８４）、メインフローにリターンし、絞り情報ＡＶＶＲが規定値未満のときには、新タイプの撮影レンズ１０がカメラボディ１に装着されておりかつＡ／Ｍスイッチ１５がマニュアルにセットされていると判断して、レンズ種類フラグＦ３を「１」にセットして（Ｓ．１８５）、メインフローにリターンする。
【００４９】
ＣＰＵ１７は、Ｓ．１８２においてノーのときは、Ｓ．１８６に移行して、絞り情報ＡＶＶＲが規定値以上であるか否かを判断する。ＣＰＵ１７はＳ．１８６において、絞り情報ＡＶＶＲが規定値以上のときには、Ｓ．１８７に移行して、撮影レンズ１０がカメラボディ１に装着されていないと判断し、レンズ種類フラグＦ１を「Ｆ１＝１」にセットして、メインフローにリターンし、絞り情報ＡＶＶＲが規定値未満のときには、新タイプの撮影レンズ１０がカメラボディに装着されておりかつＡ／Ｍスイッチ１５がオートにセットされていると判断して、レンズ種類フラグを何もセットせずに、そのままメインフローにリターンする。
【００５０】
ＣＰＵ１７は次に輝度情報ＢＶ、レンズ種類情報に基づいて測光演算処理を行い（Ｓ．１９）、ボディ状態チェック処理を行った後（Ｓ．２０）、表示処理に移行する（Ｓ．２１）。
【００５１】
表示処理では、ＣＰＵ１７は、図１２に示すように、まず、Ｓ．２１１においてバルブモードであるか否かを判断し、バルブモードのときには、Ｓ．２１２に移行して「ｂｕ」の表示を行い、Ｓ．２２２に移行して、測光モード表示処理を行った後、フィルム枚数表示処理を行う（Ｓ．２２３）。ここでは、測光モードは中央重点測光とする。バルブモードでなければ、Ｓ．２１３において、レンズ種類フラグＦ３が「Ｆ３＝１」であるか否かの判断を行う。
【００５２】
ここでは、新タイプの撮影レンズ１０がカメラボディに装着されているとして説明を行うこととする。
【００５３】
ＣＰＵ１７は、レンズ種類フラグＦ３が「１」のときには、新タイプの撮影レンズ１０がカメラボディ１に装着されていてかつＡ／Ｍスイッチ１５がマニュアルにセットされていると判断して、Ｓ．２１４に移行し、シャッター速度がオートであるか否かを判断する。Ｓ．２１４において、ＣＰＵ１７はシャッター速度がオートのときには、ファインダー内ＬＣＤ２３にシャッター速度の警告をさせるための点滅処理「−−−」を行って（Ｓ．２１５）、Ｓ．２１７に移行する。
【００５４】
使用者がこのＳ．２１５の警告表示によりオート撮影時に新タイプの撮影レンズでＡ／Ｍスイッチがマニュアルにセットされていることに気づくようにしている。
【００５５】
ＣＰＵ１７は、Ｓ．２１３において、レンズ種類フラグＦ３が「１」でないとき又はＳ．２１４において、シャッター速度ＴＶがオートでないときには、Ｓ．２１６に移行してシャッター速度を表示させるための処理を行って、Ｓ．２１７に移行する。
【００５６】
ＣＰＵ１７は、Ｓ．２１７では、シャッター速度がオートであるか否かを再度判断する。シャッター速度はオートであるので、ＣＰＵ１７はＳ．２１８に移行して露出補正表示処理を行った後、Ｓ．２２２、Ｓ．２２３の処理を行う。
【００５７】
次に、Ｓ．２１４において、シャッター速度がマニュアルの時にはＳ．２１６に移行してシャッター速度を表示させるための処理を行って、Ｓ．２１７に移行する。Ｓ．２１７ではシャッター速度はマニュアルであるので、ＣＰＵ１７はＳ．２１９に移行してレンズ種類判別フラグＦ３が「１」であるか否かを再度判断し、レンズ種類判別フラグＦ３が「１」でないときには、Ｓ．２２０に移行してマニュアル露出計表示処理を行った後、Ｓ．２２２、Ｓ．２２３の処理を行う。ＣＰＵ１７はＳ．２１９においてレンズ種類判別フラグＦ３が「１」のときにはＳ．２２１に移行してグラフドット目盛点滅処理を行った後、Ｓ．２２２、Ｓ．２２３の処理を行う。使用者がそのＳ．２２１のグラフドット目盛点滅表示によりマニュアル撮影時に新タイプの撮影レンズでＡ／Ｍスイッチがマニュアルにセットされていることに気づくようにしている。
【００５８】
従って、バルブモードのときには、Ｓ．２１１、Ｓ．２２２、Ｓ．２２３の処理を行うこととなり、図１３（ｃ）に示すように、ファインダー内ＬＣＤ２３に図１３（ｃ）に示すようにバルブを意味する記号「ｂｕ」とフィルム枚数２５と中央重点を意味する記号２６とが表示される。この図１３（ｃ）にはフィルム枚数２６は１０枚と表示されている。
【００５９】
次に、Ａ／Ｍスイッチ１５がマニュアルにセットされているときでかつシャッター速度ＴＶがオートでなく、しかも、バルブモードでないときには、ＣＰＵ１７は、Ｓ．２１１、Ｓ．２１３、Ｓ．２１４、Ｓ．２１６、Ｓ．２１７、Ｓ．２１９、Ｓ．２２１〜Ｓ．２２３の処理を行うこととなり、図１３（ｅ）に示すように、シャッター速度２７が表示されると共に、マニュアル露出計２８がグラフドットバー２９により点滅表示される。これにより、露出計の警告表示が為される。ここで、符号３０はそのマニュアル露出計２８の露出目盛であり、中央の目盛３１が適正露出を意味し、この目盛３１を境に左側が露出アンダー（−）であり、右側が露出オーバー（＋）である。なお、符号３２で示す記号はストロボ発光モードであることを意味する。
【００６０】
次に、Ａ／Ｍスイッチ１５がマニュアルにセットされているときでかつシャッター速度ＴＶがオートで、しかも、バルブモードでないときには、ＣＰＵ１７は、Ｓ．２１１、Ｓ．２１３〜Ｓ．２１５、Ｓ．２１７、Ｓ．２１８、Ｓ．２２２、Ｓ．２２３の処理を行うこととなり、露出補正をかけているときにはファインダー内ＬＣＤ２３に図１３（ｄ）に示すように露出補正記号３３が表示されると共にシャッター速度２７が点滅表示される。これにより、シャッター速度Ｔｖの警告表示が為される。
【００６１】
その補正量は１個のグラフドットバー３４により示され、この図１３（ｄ）では目盛３１から左側に−２Ｅｖ補正量がかけられていることを意味する。
【００６２】
次に、Ａ／Ｍスイッチ１５がオートにセットされていてかつシャッター速度がオートでバルブモードでないときには、ＣＰＵ１７は、Ｓ．２１１、Ｓ．２１３、Ｓ．２１６、Ｓ．２１７、Ｓ．２１８、Ｓ．２２２、Ｓ．２２３の処理を行うこととなり、露出補正をかけているときにはファインダー内ＬＣＤ２３に図１３（ａ）に示す露出補正記号３３、シャッター速度２７、フィルム枚数２５と中央重点を意味する記号２６とが表示される。この図１３（ａ）では、露出補正は「−２ＥＶ」と表示され、シャッター速度はオートで「１／７５０秒」、フィルム枚数は１６枚と表示されている。
【００６３】
次に、Ａ／Ｍスイッチ１５がオートにセットされていて、かつ、シャッター速度がオートでないときには、ＣＰＵ１７は、Ｓ．２１１、Ｓ．２１３、Ｓ．２１６、Ｓ．２１７、Ｓ．２１９、Ｓ．２２０、Ｓ．２２２、Ｓ．２２３の処理を行うこととなり、ファインダー内ＬＣＤ２３に図１３（ｂ）に示すマニュアル露出計２８を意味するグラフドット目盛、シャッター速度２７、フィルム枚数２５、中央重点を意味する記号２６が表示される。この図１３（ｂ）では、シャッター速度２７はマニュアル２秒であり、フィルム枚数２５は２枚であり、露出は２ＥＶオーバーしていることが表示されている。
【００６４】
一方、撮影レンズ１０が装着されていないときや、旧タイプのマニュアル固定式撮影レンズ１０が装着されたときは、ＣＰＵ１７は、Ｓ．２１１、Ｓ．２１３、Ｓ．２１６、Ｓ．２１７、Ｓ．２１８、Ｓ．２２２、Ｓ．２２３の処理又はＳ．２１１、Ｓ．２１３、Ｓ．２１６、Ｓ．２１７、Ｓ．２１９、Ｓ．２２０、Ｓ．２２２、Ｓ．２２３の処理、又はＳ．２１１、Ｓ．２１２、Ｓ．２２２、Ｓ．２２３の処理を行うこととなり、図１３（ａ）又は図１３（ｂ）又は図１３（ｃ）の表示が行われる。
【００６５】
なお、旧タイプの撮影レンズを装着してカメラを使用する場合、使用者自身がオートモードでの撮影が適切に行われないことを意識しているので、シャッター速度の警告表示は行わない。
【００６６】
また、撮影モードがマニュアル撮影モードである場合においてもグラフドットの点滅による警告表示は行わない。すなわち、旧タイプの撮影レンズであると認識していれば、警告表示などはあえて行わずに、新タイプの撮影レンズがオートモードにおけるマニュアル撮影モード（Ａ／ＭスイッチはＡで、撮影レンズの絞り環で絞り値を設定している場合、レンズ判別フラグＦ１〜Ｆ３のいずれもが０の場合）の場合と同様の表示形態としている。
【００６７】
次に、ＣＰＵ１７はフィルム給送移行チェック処理を行い（Ｓ．２２）、次に、レリーズスイッチＳＷ６がオンしているか否かを判断し（Ｓ．２３）、レリーズスイッチＳＷ６がオンしているときには、予備角スイッチＳＷ１がオンであるか否かを判断し（Ｓ．２４）、予備角スイッチＳＷ１がオンしているときには、レリーズ処理を実行して（Ｓ．２５）、撮影を行う。
【００６８】
次に、ＣＰＵ１７は、Ｓ．２６に移行して、パワーホールドタイマーＰｈ−ｔｉｍｅｒのカウント内容から「１」を差し引き、パワーホールドタイマーＰｈ−ｔｉｍｅｒのカウント内容が「０」となったか否かを判断する（Ｓ．２７）。
【００６９】
ＣＰＵ１７はパワーホールドタイマーＰｈ−ｔｉｍｅｒのカウント内容が「０」となるまで、Ｓ．１３〜Ｓ．２７の処理を繰り返し、パワーホールドタイマーＰｈ−ｔｉｍｅｒのカウント内容が「０」となると、Ｓ．３に移行し、Ｓ．３〜Ｓ．６の処理を行い、測光スイッチＳＷ５がオンされない限り、Ｓ．７〜Ｓ．１０の処理を行ってスリープモードに入る（Ｓ．１１）。
【００７０】
従って、ＣＰＵ１７はオート・マニュアル切り替えスイッチ８がオンであるかオフであるかを判断するオート・マニュアル切り替えスイッチ状態判断手段と、レンズマウント装着部７に設けられかつ撮影レンズ１０の絞り連係桿に連係して回動される絞り連動桿９のボリュームが規定値以上であるか否かを判断するボリューム情報判断手段と、ボリューム情報判断手段とオート・マニュアル切り替えスイッチ状態判断手段との判断結果に基づいて、オート・マニュアルが切り替え可能な撮影レンズ１０とオート・マニュアルが切り替え不可能なマニュアル固定式の撮影レンズ１０とを判別する撮影レンズ種類判断手段としての機能を有すると共に、オート・マニュアルが切り替え可能な撮影レンズ１０がカメラボディ１に装着されてマニュアルモードであると判断したときにマニュアルモードであるとの警告表示を行い、固定式の撮影レンズ１０がカメラボディ１に装着されていると判断したときにマニュアルであるとの警告表示を行わない。
【００７１】
【発明の効果】
本発明は、以上説明したように構成したので、オート・マニュアル切り替えスイッチと絞り情報のみとで、カメラボディに撮影レンズが装着されているかいないのかを判断できると共に、カメラボディに装着された撮影レンズがオート・マニュアルが切り替え可能な新タイプの撮影レンズであるのかマニュアル固定式の旧タイプの撮影レンズであるのかの判断を行うことができ、もって、装着される撮影レンズの種類や撮影モードを判別し、装着される撮影レンズの種類に対応して適切な制御を行うことができる。
【図面の簡単な説明】
【図１】  本発明に係わるカメラの斜視図である。
【図２】  本発明に係わるカメラボディの平面図である。
【図３】  本発明に係わるカメラボディの正面図である。
【図４】  新タイプ（第１のタイプ）の撮影レンズをカメラボディに装着する直前の状態を示す図である。
【図５】  旧タイプ（第２のタイプ）の撮影レンズをカメラボディに装着する直前の状態を示す図である。
【図６】  新タイプの撮影レンズの一例を示す図である。
【図７】  新タイプの撮影レンズのレンズマウントを示す図である。
【図８】  旧タイプの撮影レンズのレンズマウントを示す図である。
【図９】  本発明に係るカメラの動作制御ブロック図である。
【図１０】  本発明に係わるカメラのメインフロー図である。
【図１１】  レンズ種類判別処理フロー図である。
【図１２】  表示処理フローの一例を示す図である。
【図１３】  ファインダー内ＬＣＤを示す図であり、（ａ）〜（ｅ）はそのファインダー内ＬＣＤに表示されたシャッター速度、フィルム枚数、露出補正等を示している。
【符号の説明】
１…カメラボディ
７…レンズマウント装着部
８…オート・マニュアル切り替えスイッチ
９…絞り連動桿
１０…撮影レンズ
１３…絞り環
１５…Ａ／Ｍスイッチ
１６…絞り連係桿
１７…ＣＰＵ（ボリューム情報判断手段、オート・マニュアル切り替えスイッチ状態判断手段、撮影レンズ種類判断手段）
【図１】
0004343292.tif 000002
【図２】
0004343292.tif 000003
【図３】
0004343292.tif 000004
【図４】
0004343292.tif 000005
【図５】
0004343292.tif 000006
【図６】
0004343292.tif 000007
【図７】
0004343292.tif 000008
【図８】
0004343292.tif 000009
【図９】
0004343292.tif 000010
【図１０】
0004343292.tif 000011
【図１１】
0004343292.tif 000012
【図１２】
0004343292.tif 000013
【図１３】
0004343292.tif 000014